【事件の表示】
　上記当事者間の登録第４２６２９９４号商標の商標登録無効審判事件について、次のとおり審決する。
【結　論】
　登録第４２６２９９４号商標の指定商品中、第２１類「食器類（貴金属製のものを除く。），アイスペール，泡立て器，こし器，こしょう入れ・砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，魚ぐし，金ブラシ，靴ブラシ，靴べら，靴磨き布，軽便靴クリーナー，シューツリー，アイロン台，霧吹き，こて台，へら台，ろうそく消し及びろうそく立て（貴金属製のものを除く。）」及び第２５類「ガーター，靴下止め，ズボンつり，バンド，ベルト，靴類（「靴合わせくぎ・靴くぎ・靴の引き手・靴びょう・靴保護金具」を除く。），靴合わせくぎ，靴くぎ，靴の引き手，靴びょう，靴保護金具，げた，草履類」についての登録を無効とする。
　審判費用は、被請求人の負担とする。
【理　由】
１　本件商標  
　本件登録第４２６２９９４号商標（以下「本件商標」という。）は、別掲（１）に表示したとおりの構成よりなり、平成９年４月１日に登録出願、第６類「金属製包装用容器（「金属製栓・金属製ふた」を除く。），金属製栓，金属製ふた，金網，ワイヤロープ，金属製家庭用水槽，金属製工具箱，金属製貯金箱，金属製のきゃたつ及びはしご，金属製のネームプレート及び標札，金属製のタオル用ディスペンサー，金属製帽子掛けかぎ，金属製郵便受け，金属製のバックル，アイゼン」、第７類「印刷用又は製本用の機械器具，自動スタンプ打ち器」、第８類「手動工具（「すみつぼ類・皮砥・鋼砥・砥石」を除く。），すみつぼ類，砥石，手動利器（「刀剣」を除く。），かつお節削り器，角砂糖挟み，缶切，くるみ割り器（貴金属製のものを除く。），スプーン，フォーク，アイロン（電気式のものを除く。），糸通し器，チャコ削り器，水中ナイフ，五徳，火ばし，殺虫剤用噴霧器（手持ち工具に当たるものに限る。），ピンセット」、第９類「理化学機械器具，測定機械器具，写真機械器具，映画機械器具，光学機械器具，眼鏡，加工ガラス（建築用のものを除く。），レコード，メトロノーム，スロットマシン，自動車用シガーライター，金銭登録機，硬貨の計数用又は選別用の機械，写真複写機，手動計算機，製図用又は図案用の機械器具，タイムスタンプ，タイムレコーダー，電気計算機，ウエイトベルト，ウエットスーツ，浮袋，エアタンク，水泳用浮き板，家庭用テレビゲームおもちゃ」、第１２類「船舶並びにその部品及び附属品（「エアクッション艇」を除く。），自動車並びにその部品及び附属品，二輪自動車・自転車並びにそれらの部品及び附属品，乳母車，そり，車いす，タイヤ又はチューブの修繕用ゴムはり付け片」、第１５類「楽器，演奏補助品，音さ」、第１６類「紙製包装用容器，家庭用食品包装フィルム，紙製ごみ収集用袋，プラスチック製ごみ収集用袋，衛生手ふき，紙製タオル，紙製手ふき，紙製ハンカチ，型紙，裁縫用チャコ，紙製のぼり，紙製旗，荷札，かるた，歌がるた，トランプ，花札，事務用又は家庭用ののり及び接着剤，青写真複写機，あて名印刷機，印字用インクリボン，こんにゃく版複写機，自動印紙はり付け機，事務用電動式ホッチキス，事務用封かん機，消印機，製図用具，タイプライター，チェックライター，謄写版，凸版複写機，文書細断機，郵便料金計器，輪転謄写機，装飾塗工用ブラシ，紙製簡易買物袋」、第２０類「木製の包装用容器（「コルク製栓・木製栓・木製ふた」を除く。），竹製の包装用容器，プラスチック製包装用葉，コルク製栓，プラスチック製栓，プラスチック製ふた，木製栓，木製ふた，うちわ，せんす，買物かご，家庭用水槽（金属製又は石製のものを除く。），きゃたつ及びはしご（金属製のものを除く。），工具箱（金属製のものを除く。），ししゅう用枠，植物の茎支持具，ストロー，盆（金属製のものを除く。），スリーピングバッグ，タオル用ディスペンサー（金属製のものを除く。），ネームプレート及び標札（金属製のものを除く。），旗ざお，ハンガーボード，帽子掛けかぎ（金属製のものを除く。），洋服飾り型類，郵便受け（金属製又は石製のものを除く。），揺りかご，幼児用歩行器，麦わら，竹，べっこう，さんご」、第２１類「ガラス基礎製品（建築用のものを除く。），なべ類，コーヒー沸かし（電気式又は貴金属製のものを除く。），鉄瓶，やかん，食器類（貴金属製のものを除く。），アイスペール，泡立て器，こし器，こしょう入れ・砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，魚ぐし，携帯用アイスボックス，米びつ，食品保存用ガラス瓶，水筒，魔法瓶，デンタルフロス，金ブラシ，洋服ブラシ，靴ブラシ，靴べら，靴磨き布，軽便靴クリーナー，シューツリー，ガラス製包装用容器（「ガラス製栓・ガラス製ふた」を除く。），陶磁製包装用容器，ガラス製ふた，アイロン台，霧吹き，こて台，へら台，植木鉢，家庭園芸用の水耕式植物栽培器，じょうろ，家庭用燃え殻ふるい，紙タオル取り出し用金属製箱，せっけん用ディスペンサー，トイレットペーパーホルダー，貯金箱（金属製のものを除く。），ねずみ取り器，はえたたき，ろうそく消し及びろうそく立て（貴金属製のものを除く。），コッフェル」、第２２類「網類（金属製又は石綿製のものを除く。），布製包装用容器，わら製包装用容器，ザイル，登山用又はキャンプ用のテント，おがくず，もみがら」、第２５類「ガーター，靴下止め，ズボンつり，バンド，ベルト，靴類（「靴合わせくぎ・靴くぎ・靴の引き手・靴びょう・靴保護金具」を除く。），靴合わせくぎ，靴くぎ，靴の引き手，靴びょう，靴保護金具，げた，草履類，仮装用衣服，運動用特殊衣服，運動用特殊靴（「乗馬靴」を除く。）」、第２７類「体操用マット」、第２８類「遊戯用器具，囲碁用具，将棋用具，さいころ，すごろく，ダイスカップ，ダイヤモンドゲーム，チェス用具，チェッカー用具，手品用具，ドミノ用具，マージャン用具，おもちゃ，人形，運動用具，スキーワックス，釣り具」及び第３１類「あわ，きび，ごま，そば，とうもろこし，ひえ，麦，もろこし，コプラ，食用魚介類（生きているものに限る。），海藻類，獣類・魚類（食用のものを除く。）・鳥類及び昆虫類（生きているものに限る。），飼料，釣り用餌，果実，野菜（「茶の葉」を除く。），茶の葉，糖料作物，種子類，木，草，芝，ドライフラワー，苗，苗木，花，盆栽」を指定商品として、平成１１年４月１６日に設定登録されたものである。
　
２　引用商標
　請求人が本件商標の登録無効の理由に引用する登録第１５４２０８６号商標（以下「引用商標１」という。）は、別掲（２）に表示したとおりの構成よりなり、昭和５４年３月１９日に登録出願、第２１類「装身具、ボタン類、かばん類、袋物、宝玉およびその模造品、造花、化粧用具」を指定商品として、昭和５７年９月３０日に設定登録、その後、平成７年１２月２５日に商標権存続期間の更新登録がされたものである。
　同じく、登録第２５２０２３１号商標（以下「引用商標２」という。）は、別掲（２）に表示したとおりの構成よりなり、平成２年９月１５日に登録出願、第１３類「キーホルダー、その他本類に属する商品」を指定商品として、平成５年３月３１日に設定登録されたものである。
　同じく、登録第２７１７１９０号商標（以下「引用商標３」という。）は、「ＧＩＯ」の欧文字を横書きしてなり、平成１年１２月２９日に登録出願、第２２類「くつ、かさ」を指定商品として、平成８年１０月３１日に設定登録されたものである。
　同じく、登録第４０１０４２０号商標（以下「引用商標４」という。）は、別掲（３）に表示したとおりの構成よりなり、平成６年４月２６日に登録出願、第２５類「被服，ガーター，靴下止め，ズボンつり，バンド，ベルト，履物」を指定商品として、平成９年６月１３日に設定登録されたものである。
　同じく、登録第４０８３９８０号商標（以下「引用商標５」という。）は、別掲（３）に表示したとおりの構成よりなり、平成６年４月２６日に登録出願、第１４類「貴金属，貴金属製食器類，貴金属製のくるみ割り器・こしょう入れ・砂糖入れ・塩振出し容器・卵立て・ナプキンホルダー・ナプキンリング・盆及びようじ入れ，貴金属製の針箱・ろうそく消し及びろうそく立て，貴金属製のがま口・靴飾り・コンパクト及び財布，貴金属製喫煙用具，身飾品，宝玉及びその原石並びに宝玉の模造品，時計」を指定商品として、平成９年１１月２１日に設定登録されたものである。
　
３　請求人の主張
　請求人は、結論同旨の審決を求め、その理由を要旨次のように述べ、証拠方法として、甲第１号証ないし甲第２６号証を提出した。
（１）引用商標３は、請求人の高級婦人服のブランドとして周知の商標であり（甲第２５号証）、また、引用商標１及び引用商標２並びに引用商標４及び引用商標５は、婦人服の他、本件商標の指定商品中の「ベルト」等の商品に使用されている（甲第２６号証）。
（２）本件商標と引用各商標の類似について
　本件商標は、欧文字「ＧＥＯ」と片仮名文字「ジオ」を上下二段に併記してなるものであるから、これより「ジオ」の称呼が生ずることが明らかである。
　他方、引用商標１ないし引用商標５は、欧文字筆記体で表された「ｇｉｏ」又は欧文字活字体で表された「ＧＩＯ」の文字よりなる商標であるから、「ジオ」の称呼を生ずること明らかである。
　よって、本件商標と引用各商標とは、「ジオ」の称呼を共通にする類似の商標である。
（３）本件商標と引用各商標の指定商品について
　本件商標の指定商品中、第２１類の「食器類（貴金属製のものを除く。）」は、引用商標５の指定商品中の「貴金属製食器類」に類似する。
　同じく、第２１類の「アイスペール，泡立て器，こし器，こしょう入れ・砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具」は、引用商標５の指定商品中の「貴金属製のくるみ割り器・こしょう入れ・砂糖入れ・塩振出し容器・卵立て・ナプキンホルダー・ナプキンリング・盆及びようじ入れ」に類似する。
　同じく、第２１類の「魚ぐし，金ブラシ」は、引用商標２の指定商品に含まれる。
　同じく、第２１類の「靴ブラシ，靴べら，靴磨き布，軽便靴クリーナー，シューツリー」は、引用商標４の指定商品中の「履物」に含まれる「靴合わせくぎ，靴くぎ，靴の引き手，靴びょう，靴保護金具」及び引用商標５の指定商品中の「貴金属製の靴飾り」に類似する。
　同じく、第２１類の「アイロン台，霧吹き，こて台，へら台」及び「ろうそく消し及びろうそく立て（貴金属製のものを除く。）」は、引用商標５の指定商品中の「貴金属製針箱」又は「貴金属製のろうそく消し及びろうそく立て」に類似する。また、第２５類の「ガーター，靴下止め，ズボンつり，バンド，ベルト」は、引用商標１及び引用商標４の指定商品中に含まれる。　同じく、第２５類の「靴類（「靴合わせくぎ・靴くぎ・靴の引き手・靴びょう・靴保護金具」を除く。）」は、引用商標３の指定商品中の「くつ」と同一又は類似である。
　さらに、第２５類の「靴類（「靴合わせくぎ・靴くぎ・靴の引き手・靴びょう・靴保護金具」を除く。）」及び「靴合わせくぎ，靴くぎ，靴の引き手，靴びょう，靴保護金具，げた，草履類」は、引用商標４の指定商品中の「履物」に含まれる。
　なお、２５類の指定商品中の「靴くぎ，靴びょう，靴保護金具、げた金具」は、引用商標２の指定商品中の「金具」にも類似する。
（４）むすび
　したがって、本件商標は、商標法第４条第１項第１１号に違反して登録されたものである。
　　
４　被請求人の主張
　被請求人は、何ら答弁していない。
　　
５　当審の判断
　本件商標は、黒塗りの四角形図形内に、「ＧＥＯ」の欧文字及び「ジオ」の片仮名文字を上下二段に白抜きしたものであるから、「ＧＥＯ」、「ジオ」のそれぞれの文字に相応し、「ジオ」の称呼を生ずること明らかである。
　他方、引用商標１及び引用商標２は、別掲（２）に表示したとおりの構成よりなり、また、引用商標４及び５は、別掲（３）に表示したとおりの構成よりなるところ、それらは、いずれも筆記体風の欧文字「ｇｉｏ」よりなるものと容易に看取し、理解されるものである。
　さらに、引用商標３は、「ＧＩＯ」の欧文字よりなるものである。
　しかして、「ｇｉｏ」、「ＧＩＯ」の欧文字は、特定の意味合いを有しない造語であって、簡易迅速を尊ぶ取引場裡においては、外国語中で我が国において最も普及し、比較的馴染みが深く、親しまれている英語読み風に「ジオ」と称呼し、取引に資される場合が決して少なくないものというのが相当である。
　そうとすれば、引用各商標よりは、「ジオ」の称呼を生ずるものといえる。
　してみれば、本件商標と引用各商標とは、「ジオ」の称呼を共通にする類似の商標といわざるを得ない。
　さらに、本件商標の指定商品中、本件（一部）無効審判請求に係る商品である第２１類「食器類（貴金属製のものを除く。），アイスペール，泡立て器，こし器，こしょう入れ・砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，魚ぐし，金ブラシ，靴ブラシ，靴べら，靴磨き布，軽便靴クリーナー，シューツリー，アイロン台，霧吹き，こて台，へら台，ろうそく消し及びろうそく立て（貴金属製のものを除く。）」及び第２５類「ガーター，靴下止め，ズボンつり，バンド，ベルト，靴類（「靴合わせくぎ・靴くぎ・靴の引き手・靴びょう・靴保護金具」を除く。），靴合わせくぎ，靴くぎ，靴の引き手，靴びょう，靴保護金具，げた，草履類」と引用各商標の指定商品とは同一又は類似するものと認められる。
　したがって、本件商標の指定商品中、上記商品については、商標法第４条第１項第１１号に違反して登録されたものであるから、商標法第４６条第１項の規定により、その登録を無効とすべきである。
　よって、結論のとおり審決する。